(57)【要約】【課題】  取付簡単、損壊し難い防塵式光ファイバーソケットを提供する。【解決手段】  本体（１０）と、防塵プレート（２０）と、弾性プレート（３０）を有する防塵式光ファイバーソケットであって、本体（１０）の内部に光ファイバープラグと発光ダイオード（４１）を収容するため収容孔（１１）と取付孔（１２）が形成され、上部に上面開口（１３１）と側面開口（１３２）が形成され、上面開口（１３１）の内側に溝（１４）が形成され、該溝（１４）の中央に凹部（１４１）が形成され、収容孔（１１）と取付孔（１２）は孔（１６）によって連接され、防塵プレート（２０）は前記本体（１０）における側面開口（１３２）に設けられ、その内側の上縁に押圧ブロック（２１）が設けられ、前記弾性プレート（３０）は前記本体（１０）における上面開口（１３１）の形状に応じた形状を有するプレート本体（３１）を有し、底面に弾性の延出部（３２）が設けられ、両側に弾性折り（３３１）を有する係合プレート（３３）が設けられることを特徴とする。【選択図】  図１
0003102500.tif 000002
【実用新案登録請求の範囲】
【請求項１】
本体（１０）と、防塵プレート（２０）と、弾性プレート（３０）を有する防塵式光ファイバーソケットであって、
本体（１０）の内部に光ファイバープラグと発光ダイオード（４１）を収容するため収容孔（１１）と取付孔（１２）が形成され、上部に上面開口（１３１）と側面開口（１３２）が形成され、上面開口（１３１）の内側に溝（１４）が形成され、該溝（１４）の中央に凹部（１４１）が形成され、収容孔（１１）と取付孔（１２）は孔（１６）によって連接され、
防塵プレート（２０）は前記本体（１０）における側面開口（１３２）に設けられ、その内側の上縁に押圧ブロック（２１）が設けられ、
前記弾性プレート（３０）は前記本体（１０）における上面開口（１３１）の形状に応じた形状を有するプレート本体（３１）を有し、底面に弾性の延出部（３２）が設けられ、両側に弾性折り（３３１）を有する係合プレート（３３）が設けられることを特徴とする防塵式光ファイバーソケット。
【請求項２】
前記本体（１０）における側面開口（１３２）の上部に位置決め溝（１５）が形成されると共に、前記防塵プレート（２０）の両側に本体（１０）の位置決め溝（１５）に設置するための位置決めブロック（２２）が設けられることを特徴とする請求項１に記載の防塵式光ファイバーソケット。
【請求項３】
前記弾性プレート（３０）の一端に止めプレート（３４）が設けられることを特徴とする請求項２に記載の防塵式光ファイバーソケット。
【考案の詳細な説明】
【技術分野】
【０００１】
本考案は、特に取付簡単、損壊し難い防塵式光ファイバーソケットに関するものである。
【背景技術】
【０００２】
図６に示すように、従来の光ファイバーソケット（５０）は本体（５１）の内部に光ファイバープラグ（符号なし）と発光ダイオード（４１）を収容するため収容孔（５２）と取付孔（５３）が形成され、該収容孔（５２）の開口縁に防塵するための防塵プレート（５４）が設けられると共に、収容孔（５２）上面の本体（５１）に弾性プレート（５６）が設置するため溝（５５）が形成されることにより、防塵プレート（５４）を開けた後、弾性プレート（５６）によって直ぐに元の位置に戻ることができる。
【考案の開示】
【考案が解決しようとする課題】
【０００３】
しかしながら、上記従来の防塵式光ファイバーソケット（５０）を使用する場合には以下のような欠点を有する。
弾性プレート（５６）の取付をし易いために、より長い弾性プレート（５６）を溝（５５）に挿入した後、本体（５１）から突出する弾性プレート（５６）の部分を削除する作業を行うので、製造作業は非常に面倒である。
弾性プレート（５６）は単に溝（５５）に挿入するだけで、他の固定構造を有しないので、使用する際、弾性プレート（５６）を本体（５１）から落ち出す恐れがあるので、使用上、非常に不便である。
そこで、案出されたのが本考案であって、取付簡単、損壊し難い防塵式光ファイバーソケットを提供することを目的としている。
【課題を解決するための手段】
【０００４】
本願の請求項１の考案は、本体（１０）と、防塵プレート（２０）と、弾性プレート（３０）を有する防塵式光ファイバーソケットであって、
本体（１０）の内部に光ファイバープラグと発光ダイオード（４１）を収容するため収容孔（１１）と取付孔（１２）が形成され、上部に上面開口（１３１）と側面開口（１３２）が形成され、上面開口（１３１）の内側に溝（１４）が形成され、該溝（１４）の中央に凹部（１４１）が形成され、収容孔（１１）と取付孔（１２）は孔（１６）によって連接され、
防塵プレート（２０）は前記本体（１０）における側面開口（１３２）に設けられ、その内側の上縁に押圧ブロック（２１）が設けられ、
前記弾性プレート（３０）は前記本体（１０）における上面開口（１３１）の形状に応じた形状を有するプレート本体（３１）を有し、底面に弾性の延出部（３２）が設けられ、両側に弾性折り（３３１）を有する係合プレート（３３）が設けられることを特徴とする防塵式光ファイバーソケット及び、
本願の請求項２の考案は、前記本体（１０）における側面開口（１３２）の上部に位置決め溝（１５）が形成されると共に、前記防塵プレート（２０）の両側に本体（１０）の位置決め溝（１５）に設置するための位置決めブロック（２２）が設けられることを特徴とする請求項１に記載の防塵式光ファイバーソケット及び、
本願の請求項３の考案は、前記弾性プレート（３０）の一端に止めプレート（３４）が設けられることを特徴とする請求項２に記載の防塵式光ファイバーソケット、を提供する。
【考案の効果】
【０００５】
本考案は上記の課題を解決するものであり、弾性プレートの係合プレートにおける弾性折りが本体における溝の凹部に係合することにより、弾性プレートが緊密に本体の上方に固定することができると共に、弾性プレートの係合プレートを本体の溝に挿入することのみにより、製造作業は非常に簡単である。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１は本考案に係る防塵式光ファイバーソケットの分解斜視図であり、図２は本考案に係る防塵式光ファイバーソケットの斜視図であり、図３は本考案に係る防塵式光ファイバーソケットの断面図であり、図４は本考案に係る防塵式光ファイバーソケットの防塵プレートの回転状態を示す断面図であり、図５は本考案に係る防塵式光ファイバーソケットの使用状態を示す断面図である。
図１乃至図３に示すように、本考案に係る防塵式光ファイバーソケットは本体（１０）と、防塵プレート（２０）と、弾性プレート（３０）を有し、本体（１０）は四方形の構造を有し、内部に光ファイバープラグと発光ダイオード（４１）を収容するため収容孔（１１）と取付孔（１２）が形成され、底面にメディアプレーヤー又は各種の電子伝送装置における基板に固定するための固定ロッド（１７）が設けられ、上部に上面開口（１３１）と側面開口（１３２）が形成され、上面開口（１３１）の内側に溝（１４）が形成され、該溝（１４）の中央に凹部（１４１）が形成され、側面開口（１３２）の上部に位置決め溝（１５）が形成され、収容孔（１１）と取付孔（１２）は孔（１６）によって連接され、又、取付孔（１２）の内部に固定ブロック（１２１）が設けられる。
前記防塵プレート（２０）は前記本体（１０）における側面開口（１３２）の形状に応じた形状を有し、その内側の上縁に押圧ブロック（２１）が設けられると共に、両側に本体（１０）の位置決め溝（１５）に設置するための位置決めブロック（２２）が設けられる。
前記弾性プレート（３０）は前記本体（１０）における上面開口（１３１）の形状に応じた形状を有するプレート本体（３１）を有し、その一端に止めプレート（３４）が設けられると共に、底面に弾性の延出部（３２）が設けられ、両側に弾性折り（３３１）を有する係合プレート（３３）が設けられる。
図２及び図３に示すように、本考案に係る防塵式光ファイバーソケットを組合せる際、防塵プレート（２０）は両側における位置決めブロック（２２）と本体（１０）の位置決め溝（１５）により、本体（１０）に設置され、弾性プレート（３０）はプレート本体（３１）における係合プレート（３３）を本体（１０）の溝（１４）に挿入すると共に、その止めプレート（３４）を上面開口（１３１）に位置し、弾性折り（３３１）を凹部（１４１）に位置することにより、本体（１０）の上方に設置され、又、延出部（３２）が押圧ブロック（２１）と接触されることにより、防塵プレート（２０）が本体（１０）から落ち出すことを防止する。図４に示すように、防塵プレート（２０）は位置決めブロック（２２）を回転中心として開けた後、延出部（３２）の付勢力によって直ぐに元の位置に戻ることができる。
又、図１及び図５に示すように、発光ダイオード（４１）が固定ブロック（１２１）によって取付孔（１２）に設けられ、本体（１０）は固定ロッド（１７）と発光ダイオード（４１）によってメディアプレーヤー又は各種の電子伝送装置における基板（４３）に設置され、本考案に係る防塵式光ファイバーソケットを使用する場合、従来のように光ファイバープラグ（４２）が本体（１０）の収容孔（１１）に挿入されるだけでよい。
上記の述べたように、本考案に係る防塵式光ファイバーソケットは以下のような効果を達成できる。
防塵プレート（２０）を取り付けた後、弾性プレート（３０）の係合プレート（３３）を本体（１０）の溝（１４）に挿入することのみにより、製造作業は非常に簡単である。
係合プレート（３３）における弾性折り（３３１）が溝（１４）の凹部（１４１）に係合することにより、弾性プレート（３０）が緊密に本体（１０）の上方に固定することができるので、弾性プレート（３０）を本体（１０）から落ち出すことを防止できる。
【産業上の利用可能性】
【０００７】
本考案は上記の構成を有するので、弾性プレートの係合プレートにおける弾性折りが本体における溝の凹部に係合することにより、弾性プレートが緊密に本体の上方に固定することができると共に、弾性プレートの係合プレートを本体の溝に挿入することのみにより、製造作業は非常に簡単である。
【図面の簡単な説明】
【０００８】
【図１】本考案に係る防塵式光ファイバーソケットの分解斜視図である。
【図２】本考案に係る防塵式光ファイバーソケットの斜視図である。
【図３】本考案に係る防塵式光ファイバーソケットの断面図である。
【図４】本考案に係る防塵式光ファイバーソケットの防塵プレートの回転状態を示す断面図である。
【図５】本考案に係る防塵式光ファイバーソケットの使用状態を示す断面図である。
【図６】従来の防塵式光ファイバーソケットを示す断面図である。
【符号の説明】
【０００９】
１０        本体
１１        収容孔
１２        取付孔
１２１      固定ブロック
１３１      上面開口
１３２      側面開口
１４        溝
１４１      凹部
１５        位置決め溝
１６        孔
１７        固定ロッド
２０        防塵プレート
２１        押圧ブロック
２２        位置決めブロック
３０        弾性プレート
３１        プレート本体
３２        延出部
３３        係合プレート
３３１      弾性折り
３４        止めプレート
４１        発光ダイオード
４２        光ファイバープラグ
４３        基板
５０        光ファイバーソケット
５１        本体
５２        収容孔
５３        取付孔
５４        防塵プレート
５５        溝
５６        弾性プレート
【図１】
0003102500.tif 000003
【図２】
0003102500.tif 000004
【図３】
0003102500.tif 000005
【図４】
0003102500.tif 000006
【図５】
0003102500.tif 000007
【図６】
0003102500.tif 000008